(57)【特許請求の範囲】
【請求項１】
レシートロール用紙およびチケットロール用紙を収容可能でかつレシートロール用紙およびチケットロール用紙に共通の印字部を有し、レシート用紙可逆搬送機構を用いて収容されたレシートロール用紙からレシート用紙を引出しつつ該印字部に向けて給紙搬送可能かつ未印字のレシート用紙を印字部から戻し搬送可能に形成するとともにチケット用紙可逆搬送機構を用いて収容されたチケットロール用紙からチケット用紙を引出しつつ該印字部に向けて給紙搬送可能かつ未印字のチケット用紙を印字部から戻し搬送可能に形成し、共通の印字部を利用したレシート用紙へのレシート情報印字およびチケット用紙へのチケット情報印字を選択切換え可能に形成され、前記チケットロール用紙の本体内の収容位置よりも前記レシートロール用紙の本体内の収容位置の方が前記印字部の近くに配設され、前記チケットロール用紙および前記レシートロール用紙のいずれかでかつ直前に印字終了された用紙の種類をメモリに記憶可能かつ次に印字すべき用紙の種類を判断可能であるとともに判断された次印字用紙の種類とメモリに記憶された直前印字用紙の種類との同一性を判別可能に形成し、次印字用紙の種類とメモリに記憶された直前印字用紙の種類とが同じであると判別された場合には直前印字用紙の戻し搬送を禁止可能かつ異なるものと判別された場合には直前印字用紙を直ちに戻し搬送可能に形成し、前記チケット用紙および前記レシート用紙のいずれか一方が印字終了された場合でかつその後でその他方の前記印字部への給紙搬送以前に当該一方を前記印字部から戻し搬送可能に形成されているプリンター。
【請求項２】
前記チケットロール用紙と前記レシートロール用紙とが前記印字部を挟んだ反対の位置に配設されている請求項１記載のプリンター。
【発明の詳細な説明】
【０００１】
【発明の属する技術分野】
本発明は、レシートロール用紙およびチケットロール用紙を収容可能でかつ共通の印字部を利用したレシート用紙へのレシート情報印字およびチケット用紙へのチケット情報印字を選択切換え可能なプリンターに関する。
【０００２】
【従来の技術】
図５において、従来レシートプリンターは、本体ケース１０ＰＲの右側にレシートロール用紙１Ｐが収容され、上カバー２０ＰＲ２でレシートロール用紙１Ｐをカバーすることができる。
【０００３】
また、上カバー２０ＰＲ１でカバーされる本体ケース１０ＰＲの左側には、印字部３０Ｐ（印字ヘッド３１Ｐ，プラテンローラ３２Ｐ等）とレシート切断部３５Ｐ（例えば、静止刃および回転刃と，カットモータ３９Ｐとからなる。）とが装着されている。
【０００４】
かくして、レシート用紙搬送機構（図示省略）を用いて収容されたレシートロール用紙１Ｐからレシート用紙を引出しつつ印字部３０Ｐに向けて給紙搬送可能かつ印字部３０Ｐを利用してレシート用紙にレシート情報を印字することができる。また、給紙搬送（および印字給送）を停止した状態で、切断部３５Ｐを働かすことで印字済みのレシート用紙を切断してレシート発行口９ＰＲからレシートを発行することができる。
【０００５】
このレシートプリンターは、商品販売データ処理装置（例えば、電子キャッシュレジスタ）に組込まれ、登録商品（例えば、弁当やたばこ）についての会計（精算）処理後にレシートを発行可能にレジ本体に組み込み配設されている。
【０００６】
ところで、コンビニエンスストア等で取扱う商品の中に、各種のチケット（例えば、入場券）が含まれ、チケットの印字・発行の機会が年々に増大傾向にある。
【０００７】
従来チケットプリンターは、機能的には、上記した従来レシートプリンターの場合と同様に、従来チケット用紙搬送機構（図示省略）を用いて収容されたチケットロール用紙からチケット用紙を引出しつつ印字部に向けて給紙搬送可能かつ印字部を利用してチケット用紙にチケット情報を印字することができる。また、給紙搬送（および印字給送）を停止した状態で、切断部を働かすことで印字済みのチケット用紙を切断して図６に示すレシート発行口９ＰＴからチケットを発行することができる。なお、図６中において、１０ＰＴは本体ケース、２０Ｐは上カバーである。
【０００８】
このチケットは、使用に際し発行されたままの姿態（状態）が求められ、折り曲げたり、丸められものは使用できない場合がある。そこで、チケットロール紙の性状や厚みは、レシートロール紙の場合に比較して、剛性の大きなものが採用される。また、発行された１枚チケットの方が１枚レシートの場合よりも長いので、チケットロール用紙の初期巻き直径は、レシートロール用紙の場合よりも大径である。用紙幅も互いに異なる場合が多い。
【０００９】
【発明が解決しようとする課題】
したがって、従来チケットプリンターは、従来レシートプリンターに比較して大型であるから、従来レシートプリンターとともにレジ本体に組み込み配設することができず、別に用意した作業テーブル上に配設せざるを得なかった。したがって、オペレータのチケット発行に関する作業が複雑化および遅速化するばかりか、コスト高の原因にもなっている。
【００１０】
本発明の目的は、小型軽量化および低コスト化を図りつつレシートおよびチケットを選択的に印字発行することができるプリンターを提供することにある。
【００１１】
【課題を解決するための手段】
請求項１の発明は、レシートロール用紙およびチケットロール用紙を収容可能でかつレシートロール用紙およびチケットロール用紙に共通の印字部を有し、レシート用紙可逆搬送機構を用いて収容されたレシートロール用紙からレシート用紙を引出しつつ該印字部に向けて給紙搬送可能かつ未印字のレシート用紙を印字部から戻し搬送可能に形成するとともにチケット用紙可逆搬送機構を用いて収容されたチケットロール用紙からチケット用紙を引出しつつ該印字部に向けて給紙搬送可能かつ未印字のチケット用紙を印字部から戻し搬送可能に形成し、共通の印字部を利用したレシート用紙へのレシート情報印字およびチケット用紙へのチケット情報印字を選択切換え可能に形成され、前記チケットロール用紙の本体内の収容位置よりも前記レシートロール用紙の本体内の収容位置の方が前記印字部の近くに配設され、前記チケットロール用紙および前記レシートロール用紙のいずれかでかつ直前に印字終了された用紙の種類をメモリに記憶可能かつ次に印字すべき用紙の種類を判断可能であるとともに判断された次印字用紙の種類とメモリに記憶された直前印字用紙の種類との同一性を判別可能に形成し、次印字用紙の種類とメモリに記憶された直前印字用紙の種類とが同じであると判別された場合には直前印字用紙の戻し搬送を禁止可能かつ異なるものと判別された場合には直前印字用紙を直ちに戻し搬送可能に形成し、前記チケット用紙および前記レシート用紙のいずれか一方が印字終了された場合でかつその後でその他方の前記印字部への給紙搬送以前に当該一方を前記印字部から戻し搬送可能に形成されているプリンターである。
【００１２】
かかる発明では、レシートロール用紙およびチケットロール用紙を収容しておく。ここで、レシート情報印字を選択すると、レシート用紙可逆搬送機構が働きレシートロール用紙からレシート用紙を引出しつつ印字部に向けて給紙搬送する。したがって、印字部がレシート用紙にレシート情報を印字する。印字後のレシート用紙は、切断部で切断される。未印字のレシート用紙は、レシート用紙可逆搬送機構の逆動作により印字部から戻し搬送される。
【００１３】
次に、チケット情報印字に選択切換えすると、チケット用紙可逆搬送機構が働きチケットロール用紙からチケット用紙を引出しつつ印字部に向けて給紙搬送する。したがって、印字部がチケット用紙にチケット情報を印字する。印字後のチケット用紙は、切断部で切断される。未印字のチケット用紙は、チケット用紙可逆搬送機構の逆動作により印字部から戻し搬送される。
【００１４】
したがって、小型軽量化および低コスト化を図りつつレシートおよびチケットを選択的に印字発行できるプリンターを提供することができるとともに、これを導入する商品販売データ処理装置の小型化・省スペース化にも大きく貢献することができる。
【００１５】
また、比較的に剛性が強く大径のチケットロール用紙の本体内収容位置は印字部よりも遠く、比較的に剛性が弱く小径で使用頻度が高いレシートロール用紙の本体内収容位置は印字部に近い。
【００１６】
したがって、発行機会が多いレシートを迅速に発行できかつ曲りクセのないチケットを発行できるとともに、印字部周りのコンパクト化を図れる。
【００１７】
また、例えばレシート情報印字を選択すると、レシート用紙可逆搬送機構が働きレシートロール用紙からレシート用紙を引出しつつ印字部に向けて給紙搬送する。印字部でレシート用紙にレシート情報が印字される。この印字終了後に、レシート用紙は切断部で切断されてレシートとして発行される。この用紙種類（レシート用紙）は、直前に印字終了された用紙の種類としてメモリに記憶される。
【００１８】
次に印字すべき用紙の種類を判断する。そして、判断された次印字用紙の種類とメモリに記憶された直前印字用紙の種類との同一性を判別する。次印字用紙の種類とメモリに記憶された直前印字用紙の種類とが異なるものと判別された場合には、レシート用紙可逆搬送機構を逆動作させて未印字である直前印字用紙（レシート用紙）を直ちに印字部から戻し搬送する。しかし、同じであると判別された場合には、直前印字用紙（レシート用紙）の戻し搬送を禁止する。
【００１９】
同様に、チケット情報印字に選択切換えると、チケット用紙可逆搬送機構が働きチケットロール用紙からチケット用紙を引出しつつ印字部に向けて給紙搬送する。印字部でチケット用紙にチケット情報が印字される。この印字終了後に、チケット用紙は切断部で切断されてチケットとして発行される。この用紙種類（チケット用紙）は、直前に印字終了された用紙の種類としてメモリに記憶される。
【００２０】
次に印字すべき用紙の種類を判断する。そして、判断された次印字用紙の種類とメモリに記憶された直前印字用紙の種類との同一性を判別する。次印字用紙の種類とメモリに記憶された直前印字用紙の種類とが異なるものと判別された場合には、チケット用紙可逆搬送機構を逆動作させて未印字である直前印字用紙（チケット用紙）を直ちに印字部から戻し搬送する。しかし、同じであると判別された場合には、直前印字用紙（チケット用紙）の戻し搬送を禁止する。
【００２１】
したがって、レシート用紙およびチケット用紙の無駄な戻し搬送を一掃化しつつレシートおよびチケットの印字発行を一段と迅速に切換えられる。
【００２２】
そして、例えばレシート情報印字を選択すると、レシート用紙可逆搬送機構が働きレシートロール用紙からレシート用紙（一方）を引出しつつ印字部に向けて給紙搬送する。そして、印字部でレシート用紙にレシート情報が印字される。この印字終了後に、レシート用紙は切断部で切断されてレシートとして発行されかつ未印字のレシート用紙はレシート用紙可逆搬送機構の逆動作によりチケット用紙（その他方）の印字部への給紙搬送以前に印字部から戻し搬送される。
【００２３】
同様に、チケット情報印字に選択切換えると、チケット用紙可逆搬送機構が働きチケットロール用紙からチケット用紙（他方）を引出しつつ印字部に向けて給紙搬送する。そして、印字部でチケット用紙にチケット情報が印字される。この印字終了後に、チケット用紙は切断部で切断されてチケットとして発行されかつ未印字のチケット用紙はチケット用紙可逆搬送機構の逆動作によりレシート用紙（その一方）の印字部への給紙搬送以前に印字部から戻し搬送される。
【００２４】
したがって、さらにレシートおよびチケットの印字発行を迅速に切換えられる。
【００２５】
請求項２の発明は、前記チケットロール用紙と前記レシートロール用紙とが前記印字部を挟んだ反対の位置に配設されたプリンターである。
【００２６】
かかる発明では、例えばチケットロール用紙を本体ケース内で印字部の左側に配設しかつレシートロール用紙を本体ケース外で印字部を挟んだ反対の位置に配設したので、請求項１の発明の場合と同様な作用効果を奏することができることに加え、さらに各ロール用紙の交換に際して開放・閉鎖するカバー構造の簡素化を図れかつ取扱いが簡単になる。
【００２７】
【発明の実施の形態】
以下、本発明の実施形態について図面を参照して説明する。
【００２８】
（第１の実施形態）
本プリンターは、図１〜図３に示す如く、本体ケース１０に収容されたレシートロール用紙１およびチケットロール用紙５に共通の印字部３０を有し、レシート用紙可逆搬送機構４０を用いて収容されたレシートロール用紙１からレシート用紙を引出しつつ印字部３０に向けて給紙搬送可能かつ未印字のレシート用紙を印字部３０から戻し搬送可能に形成し、チケット用紙可逆搬送機構５０を用いて収容されたチケットロール用紙５からチケット用紙を引出しつつ印字部３０に向けて給紙搬送可能かつ未印字のチケット用紙を印字部３０から戻し搬送可能に形成し、共通の印字部３０を利用したレシート用紙へのレシート情報印字およびチケット用紙へのチケット情報印字を選択切換え可能に形成されている。
【００２９】
図１において、プリンター本体は、上部開放形式の本体ケース１０と上カバー２０とから形成されている。この上カバー２０は、ピン２１を中心に開閉（回動）可能であり、またチケットロール用紙５のカバー機能も有する。
【００３０】
本体ケース１０の図１で右側には、モータ３３で回転駆動されるプラテンローラ３２と、このプラテンローラ３２に対向配設された印字ヘッド３１からなる印字部３０および静止刃と回転刃とを含む切断部３５が設けられている。プラテンローラ３２は、可逆回転可能である。
【００３１】
本体ケース１０の図１で左側のチケットロール用紙収容部１５には、用紙剛性が強く（大きく）かつ巻き径が大きなチケットロール用紙５が収容される。右側のレシートロール用紙収容部１１には、比較的に用紙剛性が弱く（小さく）かつ巻き径が小さなレシートロール用紙１が収容される。
【００３２】
つまり、レシートロール用紙１の本体内の収容位置を、チケットロール用紙５の本体内の収容位置よりも、積極的に印字部３０に近いものと選択して構築している。
【００３３】
印字部３０は、両用紙に共通で、レシートロール用紙１から引出（繰り出）されたレシート用紙にレシート情報を印字可能かつチケットロール用紙５から引出（繰り出）されたチケット用紙にチケット印字情報を印字可能に形成されている。
【００３４】
印字ヘッド３１はサーマルヘッドであり、プラテンローラ３２とのクリアランスは図示しないバネで調整され、厚みの異なるチケット用紙およびレシート用紙のいずれにも鮮明に印字することができる。
【００３５】
また、切断部３５も、両用紙に共通で、レシートロール用紙１から引出（繰り出）されかつレシート情報が印字されたレシート用紙を切断してレシートを発行可能であるとともに、チケットロール用紙５から引出（繰り出）されかつチケット印字情報が印字されたチケット用紙を切断してチケットを発行可能に形成されている。
【００３６】
チケットロール用紙収容部１５とレシートロール用紙収容部１１との間には、チケット用紙可逆搬送機構５０とピン２６を中心に回動可能なレシートロール用紙押えカバー２５が設けられている。
【００３７】
チケット用紙可逆搬送機構５０は、モータ５３で回転駆動されかつ可逆回転可能な上ローラ５１と下ローラ５２とを含み、チケットロール用紙収容部１１に収容されたチケットロール用紙５からチケット用紙を引出（繰り出）しつつ、印字部３０に向けて給紙搬送可能であるとともに未印字のチケット用紙を印字部３０から戻し搬送可能である。
【００３８】
この戻し搬送は、チケットロール用紙５に繋がっている切断後のチケット用紙先端がレシートロール用紙押えカバー２５の上面に乗った状態になるまで後退させる程度でよい。
【００３９】
また、レシートロール用紙収容部１１と印字部３０との間に設けられたレシート用紙可逆搬送機構４０は、モータ（３３）で回転駆動されかつ可逆回転可能な上ローラ４１と下ローラ４２とを含み、レシートロール用紙収容部１１に収容されたレシートロール用紙１からレシート用紙を引出（繰り出）しつつ、印字部３０に向けて給紙搬送可能かつ未印字のレシート用紙を印字部３０から戻し搬送可能に形成されている。
【００４０】
この戻し搬送は、レシートロール用紙１に繋がっている切断後のレシート用紙先端が図１で両ローラ４１，４２の右側に出ている状態まで後退させる程度でよい。
【００４１】
レシートロール用紙押えカバー２５の先端側（右側）にはレシート用紙可逆搬送機構４０の一部を構成する上ローラ４１がその下面から下方に突出させた状態で設けられ、レシートロール用紙押えカバー２５の重みで押圧してレシートロール用紙１の膨らみを抑えつつ、下ローラ４２との協働によりレシート用紙を印字部３０へ向けて給紙搬送することができる。
【００４２】
また、このレシートロール用紙押えカバー２５の上面側は、チケット用紙の給紙ガイド面として利用される。
【００４３】
図２において、駆動制御部６０は、ＣＰＵ６１，ＲＯＭ６２，ＲＡＭ６３，操作部（ＰＮＬ）６４，表示器（ＩＮＤ）６５およびレジ（図示省略）とのデータ通信用のインターフェース（Ｉ／Ｆ）６６を含み、各インターフェースを介して接続された印字部３０，チケット用紙可逆搬送機構５０，レシート用紙可逆搬送機構４０を駆動制御可能である。センサ部７０には、用紙先端位置等を検出するための複数の位置センサが含まれる。
【００４４】
すなわち、駆動制御部６０がインターフェース（Ｉ／Ｆ）６６を介してレジから印字要求を受信（図３のＳＴ１０でＹＥＳ）すると、今回印字対象判別手段（ＣＰＵ６１，ＲＯＭ６２）が、印字要求に伴う印字情報を参照して今回印字がレシート用紙印字およびチケット用紙印字のいずれかであるかを判別（ＳＴ１１）する。
【００４５】
引続き、直前印字対象判別手段（ＣＰＵ６１，ＲＯＭ６２）が、今回印字対象判別手段（６１，６２）によって今回印字がレシート用紙印字であると判別（ＳＴ１１でＹＥＳ）された場合に、メモリ６３Ｍを参照してチケット用紙が直前に印字されたか否かを判別（ＳＴ１２）する。
【００４６】
同様に、直前印字対象判別手段（ＣＰＵ６１，ＲＯＭ６２）は、今回印字対象判別手段（６１，６２）によって今回印字がチケット用紙印字であると判別（ＳＴ１１でＮＯ）された場合に、メモリ６３Ｍを参照してレシート用紙が直前に印字されたか否かを判別（ＳＴ１５）する。
【００４７】
直前（前回）印字がチケット用紙でかつ今回印字がレシート用紙であると判別された場合（ＳＴ１１でＹＥＳ，ＳＴ１２でＹＥＳ）は、印字部３０にチケット用紙の先端が係合しているから、戻し搬送制御手段（ＣＰＵ６１，ＲＯＭ６２）がプラテンローラ３２およびチケット用紙可逆搬送機構５０（モータ５３）を逆作動させて、チケット用紙の先端がレシートロール用紙押えカバー２５の上面に戻るまで戻し搬送（ＳＴ１３）させる。
【００４８】
しかる後に、給紙搬送制御手段（ＣＰＵ６１，ＲＯＭ６２）が、プラテンローラ３２（モータ３３）およびレシート用紙可逆搬送機構４０（モータ３３）を正作動させて、レシートロール用紙１から引出（繰り出）されたレシート用紙の先端が印字部３０に係合するまで給紙搬送（ＳＴ１４）する。
【００４９】
他方、直前（前回）印字がレシート用紙でかつ今回印字がチケット用紙であると判別された場合（ＳＴ１１でＮＯ，ＳＴ１５でＹＥＳ）は、印字部３０にレシート用紙の先端が係合してから、戻し搬送制御手段（ＣＰＵ６１，ＲＯＭ６２）がプラテンローラ３２およびレシート用紙可逆搬送機構４０（モータ３３）を逆作動させて、レシート用紙の先端がレシートロール用紙押えカバー２５の下面で両ローラ４１，４２の右側の位置に戻るまで戻し搬送（ＳＴ１６）させる。
【００５０】
しかる後に、給紙搬送制御手段（ＣＰＵ６１，ＲＯＭ６２）が、チケット用紙可逆搬送機構５０（モータ５３）を正作動させてチケットロール用紙５から引出（繰り出）されたチケット用紙の先端が印字部３０に係合するまで給紙搬送（ＳＴ１７）する。
【００５１】
なお、モータ３３，モータ５３は、ステッピングモータとされ、各搬送量および戻し搬送量を制御部に加えたパルス信号数で定量的に搬送制御することができる。
【００５２】
すなわち、チケット用紙およびレシート用紙のいずれか一方が印字終了された場合でかつその後でその他方の印字部３０への給紙搬送以前に当該一方を印字部３０から戻し搬送可能に形成されている。
【００５３】
さらに、この実施形態では、前回と今回が同じレシート用紙印字またはチケット用紙であると判別された場合（ＳＴ１１でＹＥＳ，ＳＴ１２でＮＯまたはＳＴ１１でＮＯ，ＳＴ１５でＮＯ）には、即印字動作に入れるように、レシート用紙およびチケット用紙のいずれであっても戻し搬送しないで、印字処理（ＳＴ１８）を終了（ＳＴ１９でＹＥＳ）するまで実行する。
【００５４】
印字終了すると、今回印字用紙種類記憶制御手段（ＣＰＵ６１，ＲＯＭ６２）が、今回印字した用紙つまり印字済用紙の種類をメモリ６３Ｍに更新記憶（ＳＴ２０）する。
【００５５】
すなわち、チケットロール用紙５およびレシートロール用紙１のいずれかでかつ直前に印字終了された用紙の種類をメモリ６３Ｍに記憶（ＳＴ２０）可能かつ次に印字すべき用紙の種類を判断（ＳＴ１１）可能であるとともに判断された次印字用紙の種類とメモリ６３Ｍに記憶された直前印字用紙の種類との同一性を判別（ＳＴ１２、ＳＴ１５）可能に形成し、次印字用紙の種類とメモリ６３Ｍに記憶された直前印字用紙の種類とが同じであると判別された場合（ＳＴ１２でＮＯ，ＳＴ１５でＮＯ）には直前印字用紙の戻し搬送を禁止可能かつ異なるものと判別された場合には直前印字用紙を直ちに戻し搬送（ＳＴ１３，ＳＴ１６）可能に形成されている。
【００５６】
かかる構成の第１の実施形態では、レシートロール用紙収容部１１およびチケットロール用紙収容部１５にレシートロール用紙１およびチケットロール用紙５をそれぞれに収容しておく。
【００５７】
ここで、レシート情報印字を選択すると、レシート用紙可逆搬送機構４０が働きレシートロール用紙１からレシート用紙を引出しつつ印字部３０に向けて給紙搬送する。したがって、印字部３０が、レシート用紙にレシート情報を印字する。印字後のレシート用紙は、切断部３５で切断される。未印字のレシート用紙は、レシート用紙可逆搬送機構４０の逆動作により印字部３０から戻し搬送される。
【００５８】
次に、チケット情報印字に選択切換えすると、チケット用紙可逆搬送機構５０が働きチケットロール用紙５からチケット用紙を引出しつつ印字部３０に向けて給紙搬送する。したがって、印字部３０が、チケット用紙にチケット情報を印字する。印字後のチケット用紙は、切断部３５で切断される。未印字のチケット用紙は、チケット用紙可逆搬送機構５０の逆動作により印字部から戻し搬送される。
【００５９】
したがって、小型軽量化および低コスト化を図りつつレシートおよびチケットを選択的に印字発行できるプリンターを提供することができるとともに、これを導入する商品販売データ処理装置の小型化・省スペース化にも大きく貢献することができる。
【００６０】
また、比較的に剛性が強く大径のチケットロール用紙５の本体内収容位置（チケットロール用紙収容部１５）は印字部３０よりも遠く、比較的に剛性が弱く小径で使用頻度が高いレシートロール用紙１の本体内収容位置（レシートロール用紙収容部１１）が印字部３０に近く選択されているので、発行機会の多いレシートを迅速に発行できかつ曲りクセのないチケットを発行できるとともに、印字部周りのコンパクト化を図れる。
【００６１】
また、レシート情報印字終了後にレシート用紙は切断部３５で切断されてレシートとして発行されかつ未印字のレシート用紙はレシート用紙可逆搬送機構４０の逆動作によりチケット用紙の印字部３０への給紙搬送以前に印字部３０から戻し搬送され、チケット情報印字終了後にチケット用紙は切断部３５で切断されてチケットとして発行されかつ未印字のチケット用紙はチケット用紙可逆搬送機構５０の逆動作によりレシート用紙の印字部３５への給紙搬送以前に印字部３０から戻し搬送されるから、レシートおよびチケットの印字発行を迅速に切換えられる。
【００６２】
さらに、レシート情報印字終了後にレシート用紙は切断部３５で切断されてレシートとして発行され、この用紙種類（レシート用紙）は直前印字終了用紙の種類としてメモリ６３Ｍに記憶される。そして、次印字用紙の種類とメモリ６３Ｍに記憶された直前印字用紙の種類とが異なるものと判別された場合には、レシート用紙可逆搬送機構４０を逆動作させて未印字である直前印字用紙（レシート用紙）を直ちに印字部３０から戻し搬送する。しかし、同じであると判別された場合には直前印字用紙（レシート用紙）の戻し搬送を禁止する。
【００６３】
同様に、チケット情報印字終了後にチケット用紙は切断部３５で切断されてチケットとして発行され、この用紙種類（チケット用紙）は直前印字終了用紙の種類としてメモリ６３Ｍに記憶される。そして、次印字用紙の種類とメモリ６３Ｍに記憶された直前印字用紙の種類とが異なるものと判別された場合には、チケット用紙可逆搬送機構５０を逆動作させて未印字である直前印字用紙（チケット用紙）を直ちに印字部３０から戻し搬送する。しかし、同じであると判別された場合には直前印字用紙（チケット用紙）の戻し搬送を禁止する。
【００６４】
したがって、レシート用紙およびチケット用紙の無駄な戻し搬送を一掃化しつつレシートおよびチケットの印字発行を一段と迅速に切換えられる。
【００６５】
さらにまた、上カバー２０を開放してもレシートロール用紙押えカバー２５がレシートロール用紙１の膨らみを抑えているからチケットロール用紙５の交換を簡単に行なえかつレシートロール用紙押えカバー２５の上面が搬送ガイドとして利用できるからチケット用紙の円滑搬送ができる。
【００６６】
（第２の実施形態）
この第２の実施形態は、基本的構成・機能が第１の実施形態の場合と同じ（下記部分を除く。）とされているが、図４に示すごとくチケットロール用紙５とレシートロール用紙１とが印字部３０を挟んだ反対の位置に配設してある。
【００６７】
すなわち、図４において、本体ケース１０は第１の実施形態の場合に比較して左右方向が短く、左側のチケットロール用紙収容部１５には、用紙剛性が強く（大きく）かつ巻き径が大きなチケットロール用紙５が収容される。チケット用紙可逆搬送機構５０（５１，５２，５３）は、第１の実施形態の場合と同様に配設されている。
【００６８】
本体ケース１０の図４で右側には、第１の実施形態の場合と同様にモータ３３で回転駆動されるプラテンローラ３２と、このプラテンローラ３２に対向配設された印字ヘッド３１からなる印字部３０および静止刃と回転刃とを含む切断部３５が設けられている。プラテンローラ３２は、可逆回転可能である。
【００６９】
ここに、レシートロール用紙１は、本体ケース１０と一体でかつ右側に突出させた外側レシートロール用紙収容部１２内に収容される。このレシートロール用紙収容部１２は、ピン２６Ａを中心に回動（開閉）可能なレシートロール用紙カバー２５Ａで覆われる。
【００７０】
レシート用紙可逆搬送機構４０（４１，４２）は、レシートロール用紙収容部１２の手前（左側）に配設され、上ローラ４１はレシートロール用紙カバー２５Ａの左側先端に回転自在に設けられている。この上ローラ４１は、レシートロール用紙カバー２５Ａ自体の重みを利用して、レシートロール用紙１から引出されたレシート用紙を下ローラ４２側に押圧することが出来る。
【００７１】
なお、２７は、レシート用紙の搬送およぶ戻し搬送を円滑化するためのレシート用紙搬送ガイドである。なお、チケット用紙可逆搬送機構５０と印字部３０との間にチケット用紙ガイドを設けることができる。
【００７２】
上カバー２０を開放してチケットロール用紙５を交換できる。レシートロール用紙１の交換に際しては、第１の実施形態の場合のように上カバー２０およびレシートロール用紙押えカバー２５の２段開放を必要とせず、レシートロール用紙カバー２５Ａを開放するだけでよい。
【００７３】
しかして、第２の実施形態によれば、チケットロール用紙５が本体ケース１０内で印字部３０の左側に配設されかつレシートロール用紙１が本体ケース１０外で印字部３０を挟んだ反対の位置に配設されているので、第１の実施形態の場合と同様な作用効果を奏することができることに加え、さらに各ロール用紙の交換に際して開放・閉鎖するカバー構造の簡素化を図れかつ取扱いが簡単になる。
【００７４】
【発明の効果】
請求項１の発明によれば、レシート用紙可逆搬送機構を用いて収容されたレシートロール用紙からレシート用紙を引出しつつ印字部に向けて給紙搬送可能かつ未印字のレシート用紙を印字部から戻し搬送可能に形成するとともに、チケット用紙可逆搬送機構を用いて収容されたチケットロール用紙からチケット用紙を引出しつつ印字部に向けて給紙搬送可能かつ未印字のチケット用紙を印字部から戻し搬送可能に形成し、共通の印字部を利用したレシート用紙へのレシート情報印字およびチケット用紙へのチケット情報印字を選択切換え可能に形成されたプリンターであるから、小型軽量化および低コスト化を図りつつレシートおよびチケットを選択的に印字発行できるプリンターを提供することができるとともに、これを導入する商品販売データ処理装置の小型化・省スペース化にも大きく貢献することができる。
【００７５】
また、チケットロール用紙の本体内の収容位置よりもレシートロール用紙の本体内の収容位置が印字部に近いものと選択されているので、請求項１の発明の場合と同様な効果を奏することができることに加え、さらに発行機会の多いレシートを迅速に発行できかつ曲りクセのないチケットを発行できるとともに、印字部周りのコンパクト化を図れる。
【００７６】
請求項２の発明によれば、次印字用紙の種類とメモリに記憶された直前印字用紙の種類とが同じであると判別された場合には直前印字用紙の戻し搬送を禁止可能かつ異なるものと判別された場合には直前印字用紙を直ちに戻し搬送可能に形成されているので、請求項４の発明の場合と同様な効果を奏することができることに加え、さらにレシート用紙およびチケット用紙の無駄な戻し搬送を一掃化しつつレシートおよびチケットの印字発行を一段と迅速に切換えられる。
【００７７】
そして、チケット用紙およびレシート用紙のいずれか一方が印字終了された場合でかつその後でその他方の印字部への給紙搬送以前に当該一方を印字部から戻し搬送可能に形成されているので、請求項１から請求項３までの各発明の場合と同様な効果を奏することができることに加え、さらにレシートおよびチケットの印字発行を迅速に切換えられる。
【００７８】
請求項２の発明によれば、チケットロール用紙とレシートロール用紙とが印字部を挟んだ反対の位置に配設してあるので、請求項１の発明の場合と同様な効果を奏することができることに加え、さらに各ロール用紙の交換に際して開放・閉鎖するカバー構造の簡素化を図れかつ取扱いが簡単になる。
【図面の簡単な説明】
【図１】  本発明の第１の実施形態を説明するための側面図である。
【図２】  同じく、駆動制御部を説明するためのブロック図である。
【図３】  同じく、作用・動作を説明するためのフローチャートである。
【図４】  本発明の第２の実施形態を説明するための側面図である。
【図５】  従来レシートプリンターを説明するための側面図である。
【図６】  従来チケットプリンターを説明するための外観斜視図である。
【符号の説明】
１  レシートロール用紙
５  チケットロール用紙
１０  本体ケース
１１  レシートロール用紙収容部
１２  外側レシートロール用紙収容部
１５  チケットロール用紙収容部
２０  上カバー
２１  ピン
２５  レシートロール用紙押えカバー（チケット用紙搬送ガイド）
２６  ピン
２７  レシート搬送ガイド
３０  印字部
３１  印字ヘッド
３２  プラテンローラ
３５  切断部
４０  レシート用紙可逆搬送機構
５０  チケット用紙可逆搬送機構
６０  駆動制御部
６３Ｍ  メモリ
７０  センサ部
【図１】
0003943347.tif 000002
【図２】
0003943347.tif 000003
【図３】
0003943347.tif 000004
【図４】
0003943347.tif 000005
【図５】
0003943347.tif 000006
【図６】
0003943347.tif 000007